(57)【要約】【課題】ビッグバンの以前に存在した物は3.75×10−1Jm/Kg の物質であった。電子のラブ1粒子は、3.416×10−31Jmの物質である。どうして、3.416×10−31Jmの物質ができたのか。【解決手段】  本発明は、電子のラブは、自転軌道エネルギーが3.416×10−31Jmの物質であると理解できることから、この電子のラブは、電磁気により作られたと考えるものです。電子のラブが存在しない時、大宇宙には微細な物質が存在した。その大宇宙に電磁波が放出した。大宇宙は絶対0度であったので、抵抗はなく、大宇宙に広まった。磁気の光子は中心に向かって回転するので、微細な物質は電磁気の中心に取り込まれた。そして、電磁気が質量をもった。これが、3.75×10−1Jm/Kgの電磁気を持つ物質です。その電磁気は、ニュートリノが(7.96×107)個で球体を作るように、(7.96×107)個で球体を作った。これが電子のラブです。電子のラブが集合した中心部は温度が高くなった。温度が18362倍になったところに、陽子のラブはできた。【選択図】図３
2012055077.tif 000002
【特許請求の範囲】
【請求項１】
電子のラブと陽子のラブが存在する以前、大宇宙に微細な物質があった。
【請求項２】
aJの電磁波が放出された。
【請求項３】
絶対0度の大宇宙では、抵抗が０なので、電磁波は宇宙に広まった。
【請求項４】
磁気の光子は中心に向かって回転する。それで、微細の物質は磁気の光子の回転により、電磁気の中に取り込まれる。
【請求項５】
電磁気の中に微細な物質が入る。これが電磁気を持つ物質です。これが3.75×10−1Jm/Kg の物質です。
【請求項６】
大宇宙は、3.75×10−1Jm/Kgの電磁気を持つ物質に満ちた。
【請求項７】
電磁気は、(7.96×10７)２個集まり球体になった。これが電子のラブです。
【請求項８】
電子のラブのエネルギーは、(7.96×10７)２aJです。
この電子のラブの自転軌道は、電子のラブの自転軌道＝電子のラブの自転軌道エネルギー÷電子のラブのエネルギー＝3.416×10−31Jm÷(7.96×107)２aJ=5.391 ×10−４７m÷a、です。
電子のラブの質量は、電子のラブの質量＝電子のラブの自転軌道エネルギー÷１Kgの自転軌道エネルギー＝3.416×10−31Jm÷(3.75×10−1Jm/Kg)＝9.109×10−31Kg、です。
【請求項９】
陽子のラブのエネルギーは、陽子のラブのエネルギー＝電子のラブのエネルギー×1836＝(7.96×10７)２aJ×1836＝1.163×1019aJ、です。
この陽子のラブの自転軌道は、陽子のラブの自転軌道＝陽子のラブの自転軌道エネルギー÷陽子のラブのエネルギー＝6.272×10−28Jm÷(1.163×1019aJ)＝5.393×10−47m÷a、です。
陽子のラブの質量は、陽子のラブの質量＝陽子のラブの自転軌道エネルギー÷１Kgの自転軌道エネルギー＝6.272×10−28Jm÷(3.75×10−1Jm/Kg)＝1.673×10−27Kg、です。
【請求項１０】
1個の電磁気のエネルギーは、aJ、です。
1個の電磁気の場の温度は、1個の電磁気の場の温度＝aJの温度2＝(aJ÷1℃のエネルギー)2＝｛aJ÷(3.783×10−21J)｝2＝(2.643×1020a)2＝6.985×1040×a×a(℃)、です。
この温度は地表の温度の何倍か。A=場の温度1/2=(6.985×1040a2)＝2.643×1020a(倍)、です。
【請求項１１】
電子のラブができる場のエネルギーは、(7.96×10７)2aJ、です。
電子のラブができる場の温度は、1個の電磁気の場の温度の(7.96×10７)2倍ですから、1個の電磁気の場の温度×(7.96×10７)2＝6.985×1040×a×a(℃) ×(7.96×10７)2＝4.426×1056×a×a(℃)、です。
この温度は地表の温度の何倍か。A=場の温度1/2=(4.426×1056×a×a℃)1/2=2.102×1028a(倍)、です。
【請求項１２】
陽子のラブができる場のエネルギーは、電子のラブができる場のエネルギーの1836倍ですから、(7.96×10７)2aJ×1836＝1.163×1019aJ、です。
陽子のラブができる場の温度は、電子のラブができる場の温度の18362倍ですから、4.426×1056×a×a(℃)×18362＝1.492×1063×a×a(℃)、です。
この温度は地表の温度の何倍か。A=場の温度1/2＝(1.492×1063×a×a℃)1/2=3.863×1031a(倍)、です。
【発明の詳細な説明】
【技術分野】
【０００１】
本発明は、電子と陽子がどのようにできたかに関するものである。
【背景技術】
【０００２】
電子と陽子はビッグバンの以前にできた。私は、電子の中に非常に小さい物が存在する。その名を電子のラブと名付けた。陽子の中に非常に小さい物が存在する。その名を陽子のラブと名付けた。私は、特願2006−357550の「請求項3」において次のように記した。(1Kg の陽子のラブは、自転するとき3.75×10−1Jmの仕事をする。1Kg の陽子のラブの自転軌道エネルギーは、3.75×10−1Jmです。1Kg の電子のラブは、自転するとき3.75×10−1Jmの仕事をする。1Kg の電子のラブの自転軌道エネルギーは、3.75×10−1Jmです。電子のラブの自転軌道エネルギーは、3.75×10−1Jm×9.1095×10−31Kg＝3.416×10−31Jm、です。
この事によって、電子のラブは、自転軌道エネルギーが3.416×10−31Jmのものであると理解できる。)
【先行技術文献】
【特許文献】
【０００３】
【特許文献１】特願２００６−３５７５５０
【特許文献２】特願２００７−１１２３８９
【特許文献３】特願２００７−１３３４７６
【特許文献４】特願２００７−１５０７５９
【特許文献５】特願２００７−２７９６１７
【特許文献６】特願２００８−１６２５５３
【特許文献７】特願２００９−２１８１９２
【発明の概要】
【発明が解決しようとする課題】
【０００４】
解決しようとする問題点は、1Kg の陽子のラブは、自転するとき3.75×10−1Jmの仕事をする。1Kg の電子のラブは、自転するとき3.75×10−1Jmの仕事をする。この事は、陽子のラブも電子のラブも同じものでできている事を示します。ビッグバンの以前に存在した物は3.75×10−1Jm/Kg の物であった。電子のラブ1粒子は、3.416×10−31Jmの物であった。どうして、3.416×10−31Jmの物ができたのか。温度がそれをつくったのか。電子のラブは何によってできたか。
【課題を解決するための手段】
【０００５】
本発明は、電子のラブは、自転軌道エネルギーが3.416×10−31Jmのものであると理解できることから、この電子のラブは、電磁気により作られたと考えるものです。
ビッグバンの以前、電子のラブが存在しない時、大宇宙に微細な物質が存在した。電磁波が大宇宙に放出した。大宇宙は絶対0℃であったので、抵抗はなく、電磁波は大宇宙に広まった。磁気の光子は中心に向かって回転する。それで、微細の物質は磁気の光子の回転により、電磁気の中に取り込まれる。電磁気の中に微細な物質が入る。これが電磁気を持つ物質です。これが3.75×10−1Jm/Kg の物質です。大宇宙は、3.75×10−1Jm/Kg
の物質になった。その電磁気を持つ物質は、ニュートリノが(7.96×107)個で球体を作るように、(7.96×107)個で球体を作った。これが電子のラブです。電子のラブは集まった。電子のラブが集合した中心部は温度が高くなった。温度が18362倍になったところに、陽子のラブはできた。
放出した電磁気のエネルギーと、できる電子のラブのエネルギーと電子のラブの自転軌道と、電子のラブの質量と、できる陽子のラブのエネルギーと、陽子のラブの自転軌道と、陽子のラブの質量について考える。
大宇宙に特定のエネルギーをもつ電磁波が放出し、電磁気を持つ、3.75×10−1Jm/Kg
の物質になった場のエネルギーと温度について、電子のラブができる場のエネルギーと温度について、陽子のラブができる場のエネルギーと温度について考える。
【発明の効果】
【０００６】
次の事が理解できた。
１．電子のラブと陽子のラブが存在する以前、大宇宙に微細な物質があった。
2．aJの電磁波が放出された。
3．絶対0度の大宇宙では、抵抗は０なので、電磁波は大宇宙に広まった。
4．磁気の光子は中心に向かって回転する。それで、微細の物質は磁気の光子の回転により、電磁気の中に取り込まれる。
5．電磁気の中に微細な物質が入る。これが電磁気を持つ物質です。これが3.75×10−1Jm/Kg
の物質です。
6．大宇宙は、3.75×10−1Jm/Kgの電磁気を持つ物質に満ちた。
7．電磁気は、(7.96×10７)２個集まり球体になった。これが電子のラブです。
8．電子のラブのエネルギーは、(7.96×10７)２aJです。
この電子のラブの自転軌道は、電子のラブの自転軌道＝電子のラブの自転軌道エネルギー÷電子のラブのエネルギー＝3.416×10−31Jm÷(7.96×107)２aJ=5.391 ×10−４７m÷a、です。
電子のラブの質量は、電子のラブの質量＝電子のラブの自転軌道エネルギー÷１Kgの自転軌道エネルギー＝3.416×10−31Jm÷(3.75×10−1Jm/Kg)＝9.109×10−31Kg、です。
9．陽子のラブのエネルギーは、陽子のラブのエネルギー＝電子のラブのエネルギー×1836＝(7.96×10７)２aJ×1836＝1.163×1019aJ、です。
この陽子のラブの自転軌道は、陽子のラブの自転軌道＝陽子のラブの自転軌道エネルギー÷陽子のラブのエネルギー＝6.272×10−28Jm÷(1.163×1019aJ)＝5.393×10−47m÷a、です。
陽子のラブの質量は、陽子のラブの質量＝陽子のラブの自転軌道エネルギー÷１Kgの自転軌道エネルギー＝6.272×10−28Jm÷(3.75×10−1Jm/Kg)＝1.673×10−27Kg、です。
10．1個の電磁気のエネルギーは、aJ、です。
1個の電磁気の場の温度は、1個の電磁気の場の温度＝aJの温度2＝(aJ÷1℃のエネルギー)2＝｛aJ÷(3.783×10−21J)｝2＝(2.643×1020a)2＝6.985×1040×a×a(℃)、です。
この温度は地表の温度の何倍か。A=場の温度1/2=(6.985×1040a2)＝2.643×1020a(倍)、です。
11．電子のラブができる場のエネルギーは、(7.96×10７)2aJ、です。
電子のラブができる温度は、1個の電磁気の場の温度の(7.96×10７)2倍ですから、1個の電磁気の場の温度×(7.96×10７)2＝6.985×1040×a×a(℃) ×(7.96×10７)2＝4.426×1056×a×a(℃)、です。
この温度は地表の温度の何倍か。A=場の温度1/2=(4.426×1056×a×a℃)1/2=2.102×1028a(倍)、です。
12．陽子のラブができる場のエネルギーは、電子のラブができる場のエネルギーの1836倍ですから、(7.96×10７)2aJ×1836＝1.163×1019aJ、です。
陽子のラブができる場の温度は、電子のラブができる場の温度の18362倍ですから、4.426×1056×a×a(℃)×18362＝1.492×1063×a×a(℃)、です。
この温度は地表の温度の何倍か。A=場の温度1/2＝(1.492×1063×a×a℃)1/2=3.863×1031a(倍)、です。
【図面の簡単な説明】
【０００７】
【図１】図１は、電子のラブら陽子のラブが存在しない時代、大宇宙に微細な物質があった。
【図２】図２は、大宇宙にaJの電磁波が放出された。大宇宙は絶対０度なので、抵抗はなく、電磁波は大宇宙に広まった。
【図３】図3は、磁気の光子は中心に向かって回転する。それで、微細な物質は、磁気の光子の回転により電磁気の中に取り込まれる。電磁気の中に微細な物質が入っている。これが    電磁気を持つ物質です。これが3.75×10−1Jm/Kgの物質です。
【図４】図4は、大宇宙は3.75×10−1Jm/Kgの物質に満ちた。この場のエネルギーはaJです。温度は6.985×1040×a×a℃です。
【図５】図5は、電磁気は(7.96×10７)2個集まり球体となった。これが電子のラブです。電子のラブのエネルギーは(7.96×10７)2aJです。この電子のラブの自転軌道は5.391×10−４７m÷aです。電子のラブの質量は9.109×10−31Kgです。電子のラブができた場のエネルギーは(7.96×10７)2aJです。温度は4.426×1056×a×a℃です。中心に陽子のラブができました。この陽子のラブのエネルギーは1.163×1019aJです。この陽子のラブの自転軌道は、5.393×10−47m÷aです。陽子のラブの質量は1.673×10−27Kgです。陽子のラブができた場のエネルギーは1.163×1019aJです。温度は1.492×1063×a×a ℃です。
【発明を実施するための形態】
【０００８】
電子のラブ1粒子は、3.416×10−31Jmの物であった。どうして、3.416×10−31Jmの物ができたのか。温度がそれをつくったのか。
その場の温度で軌道は決まります。エネルギーも決まります。
自転軌道＝公転軌道×3.14÷1公転で自転する数＝1.058×10−10m÷A×3.14÷(7.96×107)
E×自転軌道＝3.416×10−31Jm
Aとエネルギーの関係はどのようであるか。
E×1.058×10−10m÷A×3.14÷(7.96×107)＝3.416×10−31Jm
1.058×10−10m÷A×3.14÷(7.96×107)÷(3.416×10−31Jm)＝A÷E
1.222×1013/J=A÷E
E=A÷(1.222×1013/J)=8.183×10−14×A
電子のラブのエネルギーが1Jの場合、その場のAは、A=1.222×1013/J×E=1.222×1013、です。
温度は、A2＝(1.222×1013)＝1.493×1026、℃、です。
その場の温度で、できる電子のラブのエネルギーと、自転軌道は決定される。
A=E×1.222×1013
A2=E2×1.493×1026℃
その場の温度が決まるとできる電子のラブのエネルギーは決まる。
自転軌道＝3.416×10−31Jm÷E
どのような温度の場でも、3.416×10−31Jmの電子のラブは作られる。
よって、特定の温度が、3.416×10−31Jmの電子のラブを作ったのではない。
【０００９】
どうして3.75×10−1Jm/Kgの物質ができたか。
大宇宙には微細な物質があった。磁気の光子は中心に入り込むように回転するので、この回転により、微細な物質は電磁気の中心に入り込む。電磁気の中に微細な物質が入り込んだものが、3.75×10−1Jm/Kgの電磁気を持つ物質です。
微細な物質は、(7.96×10７)2個の電磁気の中に存在するようになる。これが電子のラブです。質量は大宇宙の微細な物質でできた。
【００１０】
石を溶かすエネルギーの電磁波が放出し、電子のラブができた場合。(石を溶かすエネルギーの電磁波が大宇宙に広まった場合。)
私は、特願2006−357550の「請求項13」で、次のように記した。
(石を溶かし、蒸発させる電気の光子の束(集合体)が陽子のラブの光子になったと考える。石を溶かし、蒸発させる電気の光子の束(集合体)が電子のラブの光子になったと考える。
珪素の融点は1412℃で、沸点は、3266℃です。
それで、石を溶かし沸騰させる電気の光子1個のエネルギーを電気の光子1個のエネルギーとする。)
この考えにより、この石を溶かす電気の光子のエネルギーを電気の光子1個のエネルギーとする電磁気が大宇宙に出てゆき、(7.96×107)2個集まり、電子のラブができたと考える。
電子のラブのエネルギーは、電気の光子1個のエネルギー×(7.96×107)2個＝2.162×10−19J×(7.96×107)2個＝1.370×10−3J、です。
電子のラブの自転軌道は、電子のラブの自転軌道エネルギー÷電子のラブのエネルギー＝3.416×10−31Jm÷(1.370×10−3J)＝2.493×10−28m、です。
電子のラブの質量は、電子のラブの自転軌道エネルギー÷１Kgの自転軌道エネルギー＝3.416×10−31Jm÷(3.75×10−1Jm/Kg)＝9.109×10−31Kg、です。
陽子のラブのエネルギーは、電子のラブのエネルギー×1836＝1.370×10−3J×1836＝2.515J、です。
陽子のラブの自転軌道は、陽子のラブの自転軌道エネルギー÷陽子のラブのエネルギー＝6.272×10−28Jm÷2.515J=2.494×10−28m、です。
陽子のラブの質量は、陽子のラブの自転軌道エネルギー÷１Kgの自転軌道エネルギー＝6.272×10−28Jm÷(3.75×10−1Jm/Kg)＝1.673×10−27Kg、です。
石を溶かす場の温度は、3266℃です。
この温度は地表の温度の何倍か。A=場の温度1/2=32661/2=57.15(倍)、です。
この場のエネルギーは、3266℃1/2=57.15℃×3.783×10−21J ＝2.162×10−19J、です。  (計算が間違っていました)
電子のラブができる場のエネルギーは、1個の電磁気のエネルギー×(7.96×10７)2＝2.162×10−19J ×(7.96×10７)2＝1.370×10−3J、です。
電子のラブができる場の温度は、1個の電気の光子ができる温度の(7.96×107)2倍ですから、1個の電気の光子ができる温度×(7.96×107)2＝3266℃×(7.96×107)2＝2.069×1019℃、です。
この場のエネルギーは、地表の、A=(2.069×1019)1/2＝4.549×109、倍です。
陽子のラブができる場のエネルギーは、電子のラブができる場のエネルギーの1836倍ですから、(7.96×10７)2×2.162×10−19J×1836＝2.515J、です。
陽子のラブができる場の温度は、電子のラブができる場の温度の18362倍ですから、電子のラブができる場の温度×18362＝2.069×1019℃×18362＝6.974×1025℃、です。
この場のエネルギーは、地表の、A=(6.974×1025)1/2=8.352×1012、倍です。
【００１１】
１eVの電磁波が放出し、電子のラブができた場合。(１eVの電磁波が大宇宙に広まった場合。)
1eV(1.602×10−19J)を電気の光子1個のエネルギーとする電磁波が大宇宙に出てゆき、(7.96×107)2個集まり、電子のラブができたと考える。
この場のエネルギーは、1.602×10−19J、です。
電子のラブのエネルギーは、電気の光子1個のエネルギー×(7.96×107)2個＝1.602×10−19J×(7.96×107)2個＝1.015×10−3J、です。
電子のラブの自転軌道は、電子のラブの自転軌道エネルギー÷電子のラブのエネルギー＝3.416×10−31Jm÷(1.015×10−3J)＝3.366×10−28m、です。
電子のラブの質量は、電子のラブの自転軌道エネルギー÷１Kgの自転軌道エネルギー＝3.416×10−31Jm÷(3.75×10−1Jm/Kg)＝9.109×10−31Kg、です。
陽子のラブのエネルギーは、電子のラブのエネルギー×1836＝1.015×10−3J×1836＝1.863J、です。
陽子のラブの自転軌道は、陽子のラブの自転軌道エネルギー÷陽子のラブのエネルギー＝6.272×10−28Jm÷1.863＝3.367×10−28m、です。
陽子のラブの質量は、陽子のラブの自転軌道エネルギー÷１Kgの自転軌道エネルギー＝6.272×10−28Jm÷(3.75×10−1Jm/Kg)＝1.673×10−27Kg、です。
１eVは何度か。
1℃＝274K＝3.783×10−21Jですから、１eV÷1℃＝1.602×10−19J ÷(3.783×10−21J)＝4.235×10℃、です。
この場の温度は、42.352℃＝1793.5℃、です。
この温度は地表の温度の何倍か。A=場の温度1/2=1793.51/2=42.35(倍)、です。
電子のラブができる場のエネルギーは、1個の電磁気のエネルギー×(7.96×10７)2＝1.602×10−19J ×(7.96×10７)2＝1.015×10−3J、です。
電子のラブができる場の温度は、1個の電気の光子ができる温度の(7.96×107)2倍ですから、1個の電気の光子ができる温度×(7.96×107)2＝1793.5℃×(7.96×107)2＝1.136×1019℃、です。
電子のラブができる場のエネルギーは、地表の、A=(1.136×1019)1/2＝3.370×109、倍です。
陽子のラブができる場のエネルギーは、電子のラブができる場のエネルギーの1836倍ですから、(7.96×10７)2×1.602×10−19J×1836＝1.864J、です。
陽子のラブができる場の温度は、電子のラブができる場の温度の18362倍ですから、電子のラブができる場の温度×18362＝1.136×1019℃×18362＝3.829×1025℃、です。
この場のエネルギーは、地表の、A=(3.829×1025)1/2=6.188×1012、倍です。
【００１２】
大宇宙に放出する電気の光子1個のエネルギーをaJとし、一般式を求める。
１．aJの電磁波が放出された。
2．電磁気は、(7.96×10７)２個集まり球体になった。これが電子のラブです。
電子のラブのエネルギーは、(7.96×10７)２aJです。
この電子のラブの自転軌道は、電子のラブの自転軌道＝電子のラブの自転軌道エネルギー÷電子のラブのエネルギー＝3.416×10−31Jm÷(7.96×107)２aJ=5.391 ×10−４７m÷a、です。
電子のラブの質量は、電子のラブの質量＝電子のラブの自転軌道エネルギー÷１Kgの自転軌道エネルギー＝3.416×10−31Jm÷(3.75×10−1Jm/Kg)＝9.109×10−31Kg、です。
3．陽子のラブのエネルギーは、陽子のラブのエネルギー＝電子のラブのエネルギー×1836＝(7.96×10７)２aJ×1836＝1.163×1019aJ、です。
この陽子のラブの自転軌道は、陽子のラブの自転軌道＝陽子のラブの自転軌道エネルギー÷陽子のラブのエネルギー＝6.272×10−28Jm÷(1.163×1019aJ)＝5.393×10−47m÷a、です。
陽子のラブの質量は、陽子のラブの質量＝陽子のラブの自転軌道エネルギー÷１Kgの自転軌道エネルギー＝6.272×10−28Jm÷(3.75×10−1Jm/Kg)＝1.673×10−27Kg、です。
4．1個の電磁気のエネルギーは、aJ、です。
1個の電磁気の場の温度は、1個の電磁気の場の温度＝aJの温度2＝(aJ÷1℃のエネルギー)2＝｛aJ÷(3.783×10−21J)｝2＝(2.643×1020a)2＝6.985×1040×a×a(℃)、です。
この温度は地表の温度の何倍か。A=場の温度1/2=(6.985×1040a2)＝2.643×1020a(倍)、です。
5．電子のラブができる場のエネルギーは、(7.96×10７)2aJ、です。
電子のラブができる場の温度は、1個の電磁気の場の温度の(7.96×10７)2倍ですから、1個の電磁気の場の温度×(7.96×10７)2＝6.985×1040×a×a(℃) ×(7.96×10７)2＝4.426×1056×a×a(℃)、です。
この温度は地表の温度の何倍か。A=場の温度1/2=(4.426×1056×a×a℃)1/2=2.102×1028a(倍)、です。
6．陽子のラブができる場のエネルギーは、電子のラブができる場のエネルギーの1836倍ですから、(7.96×10７)2aJ×1836＝1.163×1019aJ、です。
陽子のラブができる場の温度は、電子のラブができる場の温度の18362倍ですから、4.426×1056×a×a(℃)×18362＝1.492×1063×a×a(℃)、です。
この温度は地表の温度の何倍か。A=場の温度1/2＝(1.492×1063×a×a℃)1/2=3.863×1031a(倍)、です。
【００１３】
まとめて表に示す。
表1
2012055077.tif 000003
【産業上の利用可能性】
【００１４】
新しく、電子のラブと陽子のラブを作るときに役立つ。しかしこれには、1019℃の場と1025℃の場が必要である。
【符号の説明】
【００１５】
１    電子のラブや陽子のラブが存在する以前の大宇宙
２    微細な物質
３    aJの電磁気
４    中心に向かって回転する磁気の光子
５    3.75×10−1Jm/Kgの物質
６    電子のラブ
７    陽子のラブ
【図１】
2012055077.tif 000004
【図２】
2012055077.tif 000005
【図３】
2012055077.tif 000006
【図４】
2012055077.tif 000007
【図５】
2012055077.tif 000008